(57)【特許請求の範囲】
【請求項１】
入射光を複数の光学像に分割し、該分割された光学像を空間画素ずらし法によらない位置に配置された第１固体撮像素子及び前記空間画素ずらし法による位置に配置された第２固体撮像素子でそれぞれ受光し、該受光した光学像を電気信号に変換し、該変換された電気信号に所望の処理をし、外部に出力する固体撮像装置の信号処理方法において、
前記所望の処理を施す過程は、前記第１固体撮像素子の第１出力信号の低域または高域の周波数成分を抽出する第１ステップと、
前記第２固体撮像素子の第２出力信号の前記第１ステップにおける周波数成分と同じ周波数成分を抽出する第２ステップと、
前記第１ステップで得られた第１周波数成分から前記第２ステップで得られた第２周波数成分を減算して差分を求める第３ステップと、
前記第２ステップで得られた第２周波数成分から前記第１ステップで得られた第１周波数成分を減算して差分を求める第４ステップと、
前記第１出力信号と第３ステップで得られた周波数成分の差分を加算する第５ステップと、
前記第２出力信号と第４ステップで得られた周波数成分の差分を加算する第６ステップとを有することを特徴とする固体撮像装置の信号処理方法。
【請求項２】
入射光を複数の光学像に分割し、該分割された光学像を空間画素ずらし法によらない位置に配置された第１固体撮像素子及び前記空間画素ずらし法による位置に配置された第２固体撮像素子でそれぞれ受光し、該受光した光学像を電気信号に変換し、該変換された電気信号に所望の処理をし、外部に出力する固体撮像装置の信号処理方法において、
前記所望の処理を施す過程は、前記第１固体撮像素子の第１出力信号から前記第２固体撮像素子の第２出力信号を減算して差分を求める第１ステップと、
前記第２固体撮像素子の第２出力信号から前記第１固体撮像素子の第１出力信号を減算して差分を求める第２ステップと、
前記第１ステップで得られた差分の低域または高域の周波数成分を抽出する第３ステップと、
前記第２ステップで得られた差分の前記第３ステップにおける周波数成分と同じ周波数成分を抽出する第４ステップと、
前記第１出力信号と前記第３ステップで得られた周波数成分を加算する第５ステップと、
前記第２出力信号と前記第４ステップで得られた周波数成分を加算する第６ステップとを有することを特徴とする固体撮像装置の信号処理方法。
【請求項３】
入射光を複数の光学像に分割し、該分割された光学像を空間画素ずらし法によらない位置に配置された第１固体撮像素子及び前記空間画素ずらし法による位置に配置された第２固体撮像素子でそれぞれ受光し、該受光した光学像を電気信号に変換し、該変換された電気信号に所望の処理をし、外部に出力する固体撮像装置において、
前記第１固体撮像素子の第１出力信号の低域または高域の周波数成分を抽出する第１出力信号特定周波数抽出手段と、
前記第２固体撮像素子の第２出力信号の前記第１出力信号特定周波数抽出手段における周波数成分と同じ周波数成分を抽出する第２出力信号特定周波数抽出手段と、
前記第１出力信号特定周波数抽出手段で得られた第１周波数成分から前記第２出力信号特定周波数抽出手段で得られた第２周波数成分を減算して差分を求める第１減算手段と、
前記第２出力信号特定周波数抽出手段で得られた第２周波数成分から前記第１出力信号特定周波数抽出手段で得られた第１周波数成分を減算して差分を求める第２減算手段と、
前記第１出力信号と前記第１減算手段で得られた周波数成分の差分を加算する第１加算手段と、
前記第２出力信号と前記第２減算手段で得られた周波数成分の差分を加算する第２加算手段とを備えることを特徴とする固体撮像装置。
【請求項４】
入射光を複数の光学像に分割し、該分割された光学像を空間画素ずらし法によらない位置に配置された第１固体撮像素子及び前記空間画素ずらし法による位置に配置された第２固体撮像素子でそれぞれ受光し、該受光した光学像を電気信号に変換し、該変換された電気信号に所望の処理をし、外部に出力する固体撮像装置において、
前記第１固体撮像素子の第１出力信号から前記第２固体撮像素子の第２出力信号を減算して差分を求める第１減算手段と、
前記第２固体撮像素子の第２出力信号から前記第１固体撮像素子の第１出力信号を減算して差分を求める第２減算手段と、
前記第１減算手段で得られた差分の低域または高域の周波数成分を抽出する第１出力信号特定周波数抽出手段と、
前記第２減算手段で得られた差分の前記第１出力信号特定周波数抽出手段における周波数成分と同じ周波数成分を抽出する第２出力信号特定周波数抽出手段と、
前記第１出力信号と前記第１出力信号特定周波数抽出手段で得られた周波数成分を加算する第１加算手段と、
前記第２出力信号と前記第１出力信号特定周波数抽出手段で得られた周波数成分を加算する第２加算手段とを有することを特徴とする固体撮像装置。
【請求項５】
請求項３または４に記載の固体撮像装置において、前記第１固体撮像素子と前記第２固体撮像素子の配置は、水平方向もしくは斜め方向にずらした配置とすることを特徴とする固体撮像装置。
【発明の詳細な説明】
【０００１】
【発明の属する技術分野】
本発明は、固体撮像装置に関し、特に、固体撮像素子を用いるテレビジョンカメラに適用して、カメラの出力信号の高域または中高域を強調する処理（エンハンス処理）を行い、画質を改善する技術、例えば２つの固体撮像素子の画素を１／２画素分ずらした位置に配置し、画素数を４倍として撮影する技術に適用して有効な技術に関するものである。
【０００２】
【従来の技術】
従来の固体撮像装置については、例えば、特開平９−３７１２６号公報に記載されている。前記公報の図１８には、１チャンネル当たり２枚の固体撮像素子を用い、空間画素ずらし法による位置に画素を配置した固体撮像装置の構成が開示されている。その固体撮像装置は、ハーフミラー１、固体撮像素子２及び３、プリプロセス回路４及び５、遅延素子６、加算器８、及びプロセス回路９から構成されている。
【０００３】
前記従来の固体撮像装置は、ハーフミラー１で入射される被写体の光学像を分割し、分割された光学像を固体撮像素子２、３で受光し、受光した光学像を電気信号に変換する。変換された電気信号は、プリプロセス回路４、５で、ノイズ除去及びそれぞれの出力レベルが等しくなるようにゲイン調整が行われ、ゲイン調整が行われた信号は、２つの固体撮像素子の出力信号を同位相にするため、遅延素子６で位相調整が行われる。位相調整が行われた２つの信号は、加算器で加算され、その加算された信号はプロセス回路で最終的な映像信号に必要な処理をされ、出力される。また、２つの固体撮像装置は、前記公報の図２０に示すように、光学的に水平方向にずらして配置されている。
【０００４】
前記従来の技術によれば、空間画素ずらし法において、空間画素ずらし誤差による解像度改善効果の劣化を補正する方法が開示されている。その手段として、前記公報の図１の構成において、固体撮像装置３に対し空間的にずらして配置された固体撮像素子２の出力信号に遅延素子６を接続して第１の位相調整を行い、さらに、第１の位相調整を行って得られる出力信号Ｇ２に対し、入力信号の周波数に応じた遅延量を与える周波数依存型遅延装置７によって第２の位相調節を行い、この第１及び第２の位相調整がなされた後の出力信号Ｇ２´と固体撮像装置３の出力信号Ｇ１を加算器８で加算することで解決している。
【０００５】
【発明が解決しようとする課題】
本発明者は、前記の従来技術において、１チャンネル当たり複数の固体撮像素子を用い、空間画素ずらし法を行った固体撮像装置の表示される画像の鮮鋭度を増すための技術について検討した。
【０００６】
以下は、公知とされた技術ではないが、本発明者によって検討された技術であり、その概要は次のとおりである。
【０００７】
固体撮像素子を用いるテレビジョンカメラにおいて、２つの固体撮像素子の画素を１／２画素分ずらして配列し、画素数を４倍として撮像された映像信号を、同じく画素ずらしを用いて表示する表示装置を利用して表示する場合に、各々の固体撮像素子の出力を、そのまま表示装置に表示することが望ましい。その際に、表示される画像の鮮鋭度を増すために、カメラの出力信号の高域を強調処理（エンハンス処理）することを考える。
【０００８】
しかし、画素ずらし配置された２つの固体撮像素子の出力信号の高域をそれぞれ強調し、それらを出力しても画像の鮮鋭度は高くならない。また、２つの固体撮像素子の出力信号を合成して４倍の画素数の信号にした後に、高域の強調処理を行い、再び表示用に信号を分離すればよいが、この方法は高域強調処理の処理速度が遅い点、回路規模が大きくなる点で不利である。これまで、画素ずらしされた２つの固体撮像素子の出力信号のままでの、エンハンス処理の方法は提案されていない。
【０００９】
本発明の目的は、画素ずらしされた２つの固体撮像素子のそれぞれの出力信号のままでの、高域または中高域を強調する処理（エンハンス処理）の方法を提供することにある。
【００１０】
本発明の前記並びにその他の目的と新規な特徴は、本明細書の記述及び添付図面によって明らかにする。
【００１１】
【課題を解決するための手段】
本願において開示される発明のうち代表的なものの概要を簡単に説明すれば下記のとおりである。
【００１２】
第１の発明は、入射光を複数の光学像に分割し、該分割された光学像を空間画素ずらし法によらない位置に配置された第１固体撮像素子及び前記空間画素ずらし法による位置に配置された第２固体撮像素子でそれぞれ受光し、該受光した光学像を電気信号に変換し、該変換された電気信号に所望の処理をし、外部に出力する固体撮像装置の信号処理方法において、前記所望の処理を施す過程は、前記第１固体撮像素子の第１出力信号の低域または高域の周波数成分を抽出する第１ステップと、前記第２固体撮像素子の第２出力信号の前記第１ステップにおける周波数成分と同じ周波数成分を抽出する第２ステップと、前記第１ステップで得られた第１周波数成分から前記第２ステップで得られた第２周波数成分を減算して差分を求める第３ステップと、前記第２ステップで得られた第２周波数成分から前記第１ステップで得られた第１周波数成分を減算して差分を求める第４ステップと、前記第１出力信号と第３ステップで得られた周波数成分の差分を加算する第５ステップと、前記第２出力信号と第４ステップで得られた周波数成分の差分を加算する第６ステップとを有する信号処理方法である。
【００１４】
第２の発明は、入射光を複数の光学像に分割し、該分割された光学像を空間画素ずらし法によらない位置に配置された第１固体撮像素子及び前記空間画素ずらし法による位置に配置された第２固体撮像素子でそれぞれ受光し、該受光した光学像を電気信号に変換し、該変換された電気信号に所望の処理をし、外部に出力する固体撮像装置の信号処理方法において、前記所望の処理を施す過程は、前記第１固体撮像素子の第１出力信号から前記第２固体撮像素子の第２出力信号を減算して差分を求める第１ステップと、前記第２固体撮像素子の第２出力信号から前記第１固体撮像素子の第１出力信号を減算して差分を求める第２ステップと、前記第１ステップで得られた差分の低域または高域の周波数成分を抽出する第３ステップと、前記第２ステップで得られた差分の前記第３ステップにおける周波数成分と同じ周波数成分を抽出する第４ステップと、前記第１出力信号と前記第３ステップで得られた周波数成分を加算する第５ステップと、前記第２出力信号と前記第４ステップで得られた周波数成分を加算する第６ステップとを有する信号処理方法である。
【００１７】
第３の発明は、入射光を複数の光学像に分割し、該分割された光学像を空間画素ずらし法によらない位置に配置された第１固体撮像素子及び前記空間画素ずらし法による位置に配置された第２固体撮像素子でそれぞれ受光し、該受光した光学像を電気信号に変換し、該変換された電気信号に所望の処理をし、外部に出力する固体撮像装置において、前記第１固体撮像素子の第１出力信号の低域または高域の周波数成分を抽出する第１出力信号特定周波数抽出手段と、前記第２固体撮像素子の第２出力信号の前記第１出力信号特定周波数抽出手段における周波数成分と同じ周波数成分を抽出する第２出力信号特定周波数抽出手段と、前記第１出力信号特定周波数抽出手段で得られた第１周波数成分から前記第２出力信号特定周波数抽出手段で得られた第２周波数成分を減算して差分を求める第１減算手段と、前記第２出力信号特定周波数抽出手段で得られた第２周波数成分から前記第１出力信号特定周波数抽出手段で得られた第１周波数成分を減算して差分を求める第２減算手段と、前記第１出力信号と前記第１減算手段で得られた周波数成分の差分を加算する第１加算手段と、前記第２出力信号と前記第２減算手段で得られた周波数成分の差分を加算する第２加算手段とを備えるものである。
【００１９】
第４の発明は、入射光を複数の光学像に分割し、該分割された光学像を空間画素ずらし法によらない位置に配置された第１固体撮像素子及び前記空間画素ずらし法による位置に配置された第２固体撮像素子でそれぞれ受光し、該受光した光学像を電気信号に変換し、該変換された電気信号に所望の処理をし、外部に出力する固体撮像装置において、前記第１固体撮像素子の第１出力信号から前記第２固体撮像素子の第２出力信号を減算して差分を求める第１減算手段と、前記第２固体撮像素子の第２出力信号から前記第１固体撮像素子の第１出力信号を減算して差分を求める第２減算手段と、前記第１減算手段で得られた差分の低域または高域の周波数成分を抽出する第１出力信号特定周波数抽出手段と、前記第２減算手段で得られた差分の前記第１出力信号特定周波数抽出手段における周波数成分と同じ周波数成分を抽出する第２出力信号特定周波数抽出手段と、前記第１出力信号と前記第１出力信号特定周波数抽出手段で得られた周波数成分を加算する第１加算手段と、前記第２出力信号と前記第１出力信号特定周波数抽出手段で得られた周波数成分を加算する第２加算手段とを有するものである。
【００２２】
第５の発明は、前記第３または４の固体撮像装置において、前記空間画素ずらし法による前記複数の固体撮像素子の配置は、水平方向もしくは斜め方向にずらした配置とするものである。
【００２３】
本発明のポイントは、画素ずらしされた２つの固体撮像素子の出力信号と、それぞれの出力信号における特定の周波数帯域を抽出するためにＬＰＦ（ローパスフィルタ）もしくはＥＱＡ（イコライザアンプ）をかけた信号を用いることで、２つの固体撮像素子の出力信号を合成すること無しに、出力される信号の高域の強調処理をした点である。
【００２４】
前記した手段によれば、空間画素ずらし法によらない位置に配置された複数の第１固体撮像素子及び前記空間画素ずらし法による位置に配置された複数の第２固体撮像素子の画素により得られる出力信号において、それらの出力信号の低周波数を抽出するためにＬＰＦを通過させ、そのＬＰＦ通過後の信号の差を取ることで出力される信号の高域成分のみを取り出し、これらの高域成分を、それぞれの固体撮像素子の出力信号に加算する。または、空間画素ずらし法によらない位置に配置された複数の第１固体撮像素子及び前記空間画素ずらし法による位置に配置された複数の第２固体撮像素子の画素により得られる出力信号の差分信号からＬＰＦを用いて、出力される信号の高域成分のみを取り出し、これらの高域成分を、それぞれの固体撮像素子の出力信号に加算する。以上により高域強調（エンハンス処理）を達成するものである。
【００２５】
以下に、本発明について、本発明による実施形態（実施例）とともに図面を参照して詳細に説明する。
なお、実施形態を説明するための全図において、同一機能を有するものは同一符号を付け、その繰り返しの説明は省略する。
【００２６】
【発明の実施の形態】
（実施例１）
図１は、本発明の実施例１の固体撮像素子の概略構成を示す図である。図１において、１０１は第１出力信号特定周波数抽出手段、１０２は第２出力信号特定周波数抽出手段、１０３は第１減算手段、１０４は第２減算手段、１０５は第１加算手段、１０６は第２加算手段である。また、Ｆ１（ｎ）、Ｆ２（ｎ）は空間画素ずらし法によらない位置に配置された複数の第１固体撮像素子及び前記空間画素ずらし法による位置に配置された複数の第２固体撮像素子の画素によって得られた画像信号、Ｆ´１（ｎ）、Ｆ´２（ｎ）はＦ１（ｎ）及びＦ２（ｎ）の高域が強調された画像信号である。
【００２７】
本実施例１の固体撮像装置は、図１に示すように、第１固体撮像素子の第１出力信号Ｆ１（ｎ）の特定の周波数成分を抽出する第１出力信号特定周波数抽出手段１０１と、第２固体撮像素子の第２出力信号Ｆ２（ｎ）の特定の周波数成分を抽出する第２出力信号特定周波数抽出手段１０２と、前記第１出力信号特定周波数抽出手段１０１で第１周波数成分と第２出力信号特定周波数抽出手段１０２で得られた第２周波数成分との差を求める第１減算手段１０３と、前記第１出力信号Ｆ１（ｎ）と第１減算手段１０３で得られた第１周波数成分差分を加算する第１加算手段１０５と、前記第２出力信号特定周波数抽出手段１０２で得られた第２周波数成分と第１出力信号特定周波数抽出手段１０１で得られた第１周波数成分との差を求める第２減算手段１０４と、前記第２出力信号Ｆ２（ｎ）と第２減算手段１０４で得られた第２周波数成分差分を加算する第２加算手段１０６とを備えている。
【００２８】
図７は、空間的にずらして配置された２つの固体撮像素子の位置関係を示す図であり、７０１及び７０２は固体撮像素子、７０３は画素である。
【００２９】
前記第１固体撮像素子と第２固体撮像素子は、例えば、図７に示すように互いに水平方向にずらして配置する。また、斜め方向にずらして配置してもよい。出力信号特定周波数抽出手段としては、例えば、ＬＰＦ（ローパスフィルタ）、ＥＱＡ（イコライザアンプ）、ＨＰＦ（ハイパスフィルタ）の使用が可能である。
【００３０】
図２は、本実施例１の固体撮像素子の概略構成図を示す図であり、２０１及び２０２はＬＰＦ、２０３及び２０４は減算器、２０５及び２０６は加算器である。
【００３１】
図３（ａ）は、本発明の実施例１の出力信号特定周波数抽出手段１０１への入力信号波形を示す図、図３（ｂ）は、本実施例１の出力信号特定周波数抽出手段１０２の出力信号波形を示す図である。
【００３２】
本実施例１では、図１において、第１出力信号特定周波数抽出手段１０１及び第２出力信号特定周波数抽出手段１０２にＬＰＦ、第１減算手段１０３及び第２減算手段１０４に減算器、第１加算手段１０５及び第２加算手段１０６に加算器を使用した固体撮像装置である。
【００３３】
第１固体撮像素子及び第２固体撮像素子により得られる画像信号Ｆ１（ｎ）、Ｆ２（ｎ）は、それぞれの固体撮像素子の出力信号においては、表示される画像に対してサンプリング周波数が半分になっているので、そのまま高域強調することはできない。そこで、第１固体撮像素子及び第２固体撮像素子により得られるそれぞれの出力信号からＬＰＦで低域成分のみを取り出す。この低域成分の中には実際に表示される信号の高域成分が、折り返しにより含まれている。また、画素ずらしによる隣接画素の低域成分は、ほぼ同じレベルであるので、ＬＰＦ通過後の信号の差を取ると、表示される信号の高域成分のみが取り出せる。
【００３４】
この高域成分を、それぞれの固体撮像素子の出力に加算することにより高域強調（エンハンス処理）することができる。
【００３５】
以上の説明に基づいて、本実施例１の固体撮像装置の動作を具体的に説明する。
固体撮像素子を用いるテレビジョンカメラにおいて、第１固体撮像素子及び第２固体撮像素子によって得られる出力信号Ｆ１（ｎ）、Ｆ２（ｎ）において、Ｆ１（ｎ）にＬＰＦ２０１をかけた信号は、減算器２０３によりＦ２（ｎ）にＬＰＦ２０２をかけた信号から、減算された後に加算器２０５によりＦ１（ｎ）に加算され、高域強調された信号Ｆ´１（ｎ）となる。
【００３６】
同様に、Ｆ２（ｎ）にＬＰＦ２０２をかけた信号は、減算器２０４により、Ｆ１（ｎ）にＬＰＦ２０１をかけた信号から減算された後に、加算器２０６によりＦ２（ｎ）に加算されて高域強調された信号Ｆ´２（ｎ）となる。
【００３７】
例えば、入力周波数をω、画素サンプリングの周波数をω０、サンプリング点は奇数番目と偶数番目での画素とする。
【００３８】
ｎ番目のサンプリング点における出力信号Ｆ１（ｎ）、Ｆ２（ｎ）は、ｔ０を定数としてそれぞれ数１の式、数２の式で表せる。
【００３９】
【数１】
0004270776.tif 000002
【数２】
0004270776.tif 000003
ここで、ωは、ω０／２に帯域制限されているとする。
【００４０】
前記数１の式、数２の式にＬＰＦをかける。ＬＰＦの遮断周波数をω１とすると、ナイキスト周波数がω０／４となっていることから、数３の式及び数４の式が得られる。これらの関係により、図３に示すように、ＬＰＦにより低域周波数だけ取り出せる。
【００４１】
【数３】
0004270776.tif 000004
【数４】
0004270776.tif 000005
前記数３の式と数４の式との差をとると、数５の式となる。
【００４２】
【数５】
0004270776.tif 000006
ここで、ω１が小さい時、例えば、ω０／８の場合では、数６の式となる。
【００４３】
【数６】
0004270776.tif 000007
【００４４】
前記数５の式は、前記ω０／８の場合では数６の式となるので、数７の式となり、周波数が高いときのみ、ＬＰＦ（Ｆ１（ｎ））−ＬＰＦ（Ｆ２（ｎ））の成分が現れる。
【００４５】
【数７】
0004270776.tif 000008
【００４６】
したがって、次の数８の式及び数９の式により高域成分が強調された画像信号が得られる。
【数８】
Ｆ´１（ｎ）＝Ｆ１（ｎ）＋ＬＰＦ（Ｆ１（ｎ））−ＬＰＦ（Ｆ２（ｎ））
【数９】
Ｆ´２（ｎ）＝Ｆ２（ｎ）−ＬＰＦ（Ｆ１（ｎ））＋ＬＰＦ（Ｆ２（ｎ））
【００４７】
（実施例２）
図４は、本発明の実施例２の固体撮像素子の概略構成を示す図であり、４０１及び４０２はＥＱＡ（イコライザアンプ）である。
【００４８】
本実施例２では、出力信号特定周波数抽出手段にＥＱＡを用い、任意の周波数を選択して、その強度を調整する。
【００４９】
ＥＱＡを用いることで、強調する周波数帯域の選択が可能であり、所望の周波数成分が強調された画像信号が得られる。
【００５０】
（実施例３）
図５は、本発明の実施例３の固体撮像素子の概略構成を示す図であり、５０１及び５０２は減算器、５０３及び５０４はＥＱＡ（イコライザアンプ）、５０５及び５０６は加算器である。図６（ａ）は、本実施例２の出力信号特定周波数抽出手段への入力信号波形を示す図、図６（ｂ）は、本実施例３の出力信号特定周波数抽出手段にＬＰＦを用いた場合のＬＰＦの出力信号波形を示す図、図６（ｃ）は、本実施例３の出力信号特定周波数抽出手段にＨＰＦを用いた場合のＨＰＦの出力信号波形を示す図である。
【００５１】
本実施例３では、固体撮像素子を用いるテレビジョンカメラにおいて、第１固体撮像素子及び第２固体撮像素子によって得られた画像信号Ｆ１（ｎ）、Ｆ２（ｎ）において、Ｆ１（ｎ）は、減算器５０１でＦ２（ｎ）から減算された後に、ＥＱＡ５０３を通過し、通過した信号は加算器５０５によりＦ１（ｎ）に加算され、高域強調された信号Ｆ´１（ｎ）となる。
【００５２】
同様にＦ２（ｎ）は、減算器５０２でＦ１（ｎ）から減算された後に、ＥＱＡ５０４を通過し、通過した信号は加算器５０６により、Ｆ２（ｎ）に加算され、高域強調された信号Ｆ´２（ｎ）となる。
【００５３】
ＥＱＡを用いることにより、強調したい高域の周波数や、その帯域を調整することができる。つまり、ＥＱＡでＬＰＦを構成した場合は、実施例１の構成例と同じ動作をする。ＥＱＡでＨＰＦを構成した場合は、ナイキスト周波数がω０／４となっているため、信号の中域から高域にかけての周波数を強調することができる。
【００５４】
図５のＡ点の信号は、数１０の式で表せる。
【数１０】
0004270776.tif 000009
【００５５】
この数１０の式の周波数特性を図６（ａ）に示す。この周波数特性と、ＥＱＡの周波数特性との積が強調される周波数となりＥＱＡより出力される。ＥＱＡとしてＬＰＦを構成した場合、図６（ｂ）左図の斜線部分の帯域が抽出され、出力は右図のように高域成分が出力される。また、ＥＱＡとしてＨＰＦを構成した場合、図６（ｃ）左図の斜線部分の帯域が抽出され、出力は右図のように中高域成分が出力される。これらをＦ１（ｎ）、Ｆ２（ｎ）に加算することで、中高域成分が強調された画像信号が得られる。
【００５６】
ＥＱＡを所望の特性に選ぶことにより、信号の中域から高域にかけて強調することが可能となる。
以上、本発明者によってなされた発明を、実施例に基づき具体的に説明したが、本発明は、前記実施の形態に限定されるものではなく、その要旨を逸脱しない範囲において種々変更可能であることは勿論である。
【００５７】
例えば、本実施例では、第１出力信号特定周波数抽出手段１０１、第２出力信号特定周波数抽出手段１０２、第１減算手段１０３、第２減算手段１０４、第１加算手段１０５、第２加算手段１０６を別々に設ける場合について説明したが、各手段を組み合わせることにより新たな一つの手段として実現させても同様の効果を得ることができる。
【００５８】
【発明の効果】
本願において開示される発明によって得られる効果を簡潔に説明すれば、下記のとおりである。
すなわち、固体撮像素子を用いるテレビジョンカメラにおいて、例えば、２つの固体撮像素子の画素を１／２画素分ずらした位置に配置し、画素数を４倍として撮像された映像信号を、同じく画素ずらしを用いて表示する表示装置を利用して表示する場合に、画素ずらしされた２つの固体撮像素子の出力と、それにＬＰＦをかけた信号もしくはＥＱＡを通した信号を用いることにより、画素ずらし信号のまま、表示される信号の高域または中高域を強調することができる。
【図面の簡単な説明】
【図１】本発明の実施例１の固体撮像装置の概略構成を示す図である。
【図２】本明の実施例１の固体撮像装置の動作を説明するための図である。
【図３】本実施例１の出力信号特定周波数抽出手段の入力信号波形及び出力信号波形を示す図である。
【図４】本発明の実施例２の固体撮像装置の概略構成を示す図である。
【図５】本発明の実施例３の固体撮像装置の概略構成を示す図である。
【図６】本実施例３の出力信号特定周波数抽出手段の入力信号波形、ＬＰＦの出力信号波形、及びＨＰＦの出力信号波形を示す図である。
【図７】従来の空間的にずらして配置された２つの固体撮像素子の位相関係を示す図である
【符号の説明】
１０１…第１出力信号特定周波数抽出手段
１０２…第２出力信号特定周波数抽出手段
１０３…第１減算手段                  １０４…第２減算手段
１０５…第１加算手段                  １０６…第２加算手段
２０１、２０２…ＬＰＦ                ２０３、２０４…減算器
２０５、２０６…加算器                ４０１、４０２…ＥＱＡ
５０１、５０２…減算器                ５０３、５０４…ＥＱＡ
５０５、５０６…加算器                ７０１、７０２…固体撮像素子
７０３…画素
【図１】
0004270776.tif 000010
【図２】
0004270776.tif 000011
【図３】
0004270776.tif 000012
【図４】
0004270776.tif 000013
【図５】
0004270776.tif 000014
【図６】
0004270776.tif 000015
【図７】
0004270776.tif 000016